(57)【要約】【課題】安価で衛生的であり菓子を移す等の煩雑な作業を必要としないタブレット状菓子の撃ち出し器を提供すること。【解決手段】タブレット状菓子Ａを収容し、そのタブレット状菓子を吐出口３から１つずつ吐出させる菓子容器１に着脱可能に構成されたケース体１１と、ケース体１１に設置され、菓子容器１の吐出口３から１つずつ吐出されたタブレット状菓子Ａを撃ち出す撃ち出し手段２０とを備えていることを特徴とする。【選択図】図１
0003169240.tif 000002
【実用新案登録請求の範囲】
【請求項１】
内部にタブレット状菓子が収容され、蓋を開けた吐出口から１つずつタブレット状菓子を吐出させるように構成された菓子容器に装着される撃ち出し器であって、
前記蓋を開けた状態で前記菓子容器に対して着脱可能に構成されたケース体と、前記ケース体に設置され、当該ケース体を前記菓子容器に装着した状態で、前記吐出口から吐出されたタブレット状菓子を保留し撃ち出す撃ち出し手段とを備え、
前記撃ち出し手段は、第１位置と第２位置との間で往復動作可能に構成され当該第２位置から当該第１位置に動作する際にタブレット状菓子を打撃する打撃部材と、前記打撃部材を前記第１位置に向けて付勢するばねと、人為的操作によって前記打撃部材を前記第１位置から前記第２位置まで前記ばねの付勢力に抗して動作させる操作部とを有していることを特徴とするタブレット状菓子の撃ち出し器。
【請求項２】
前記ケース体には、前記菓子容器を入出させるための差し込み口が形成され、前記差し込み口に前記菓子容器を挿入することによって、前記ケース体が前記菓子容器に装着されるように構成されていることを特徴とする請求項１に記載のタブレット状菓子の撃ち出し器。
【請求項３】
前記ケース体には、前記差し込み口から離れた箇所に、前記菓子容器に装着された状態の前記菓子容器の一部を露出させる切欠きが形成されていることを特徴とする請求項２に記載のタブレット状菓子の撃ち出し器。
【請求項４】
前記打撃部材には、前記第１位置で前記吐出口を閉塞し前記第２の位置で前記吐出口を開放する閉塞部材が付設されていることを特徴とする請求項１から３いずれか一項に記載のタブレット状菓子の撃ち出し器。
【請求項５】
前記菓子容器には、前記蓋がヒンジを介して付設されると共に、前記蓋を開放状態で収容する蓋収容凹部が形成されていることを特徴とする請求項１から４のいずれか一項に記載のタブレット状菓子の撃ち出し器。
【考案の詳細な説明】
【技術分野】
【０００１】
本考案は、タブレット状菓子の撃ち出し器に関するものである。
【背景技術】
【０００２】
従来、清涼菓子等のタブレット状菓子（以下、菓子という。）を食するに当たり、菓子を菓子容器から撃ち出して食するようにした撃ち出し機能付き菓子容器が知られている（特許文献１）。
この撃ち出し機能付き菓子容器は、菓子容器自体に撃ち出し手段が組み込まれている。
【先行技術文献】
【特許文献】
【０００３】
【特許文献１】特開２００５−２１２８６０号公報
【考案の概要】
【考案が解決しようとする課題】
【０００４】
しかしながら、上記特許文献１に記載の撃ち出し機能付き菓子容器が、菓子を予め収容して販売されるものである場合には、価格が高価となってしまう。
一方、撃ち出し手段が付設されている菓子容器に、撃ち出し手段が付設されていない他の菓子容器に収容された菓子を移して収容する場合には、その作業が煩雑であるばかりでなく、一方の菓子容器から菓子を取り出す必要があり、非衛生的である。
本考案は、このような問題点に鑑みてなされたものであり、安価で衛生的であり菓子を移す等の煩雑な作業を必要としないタブレット状菓子の撃ち出し器を提供することを目的とする。
【課題を解決するための手段】
【０００５】
請求項１に係る考案は、
内部にタブレット状菓子が収容され、蓋を開けた吐出口から１つずつタブレット状菓子を吐出させるように構成された菓子容器に装着される撃ち出し器であって、
前記蓋を開けた状態で前記菓子容器に対して着脱可能に構成されたケース体と、前記ケース体に設置され、当該ケース体を前記菓子容器に装着した状態で、前記吐出口から吐出されたタブレット状菓子を保留し撃ち出す撃ち出し手段とを備え、
前記撃ち出し手段は、第１位置と第２位置との間で往復動作可能に構成され当該第２位置から当該第１位置に動作する際にタブレット状菓子を打撃する打撃部材と、前記打撃部材を前記第１位置に向けて付勢するばねと、人為的操作によって前記打撃部材を前記第１位置から前記第２位置まで前記ばねの付勢力に抗して動作させる操作部とを有していることを特徴とするタブレット状菓子の撃ち出し器である。
なお、本考案において、タブレット状とは、円板状ばかりでなく、球状であってもよく、要は菓子容器に収容される小塊状であればよい。
【０００６】
請求項２に係る考案は、請求項１に記載のタブレット状菓子の撃ち出し器において、前記ケース体には、前記菓子容器を入出させるための差し込み口が形成され、前記差し込み口に前記菓子容器を挿入することによって、前記ケース体が前記菓子容器に装着されるように構成されていることを特徴とする。
【０００７】
請求項３に係る考案は、請求項２に記載のタブレット状菓子の撃ち出し器において、前  記ケース体には、前記差し込み口から離れた箇所に、前記菓子容器に装着された状態の  前記菓子容器の一部を露出させる切欠きが形成されていることを特徴とする。
【０００８】
請求項４に係る考案は、請求項１から３いずれか一項に記載のタブレット状菓子の撃ち出し器において、前記打撃部材には、前記第１位置で前記吐出口を閉塞し前記第２の位置で前記吐出口を開放する閉塞部材が付設されていることを特徴とする。
【０００９】
請求項５に係る考案は、請求項１から４のいずれか一項に記載のタブレット状菓子の撃ち出し器において、前記菓子容器には、前記蓋がヒンジを介して付設されると共に、前記蓋を開放状態で収容する蓋収容凹部が形成されていることを特徴とする。
【考案の効果】
【００１０】
請求項１の考案によれば、撃ち出し器は菓子容器と別体となっており、菓子容器に着脱可能となっているので、菓子容器毎に撃ち出し器を設ける必要がないことから、経済的である。
また、請求項１の考案によれば、菓子容器の吐出口から吐出されたタブレット状菓子を撃ち出すように構成されているため、菓子容器から撃ち出し器にタブレット状菓子を詰め替える必要がないので、衛生的であり、菓子を移す等の煩雑な作業を必要としない。
【００１１】
請求項２の考案によれば、菓子容器をケース体の差し込み口に挿入するだけで、ケース体を菓子容器に装着させることができるので、装着が容易である。
【００１２】
請求項３の考案によれば、ケース体を菓子容器から取り出す際に、切欠きから露出している菓子容器部分を利用して取り外すことができるので、取り外しが容易である。
【００１３】
請求項４の考案によれば、打撃部材が第１位置にあるときに閉塞部材によって菓子容器の吐出口が閉じられ、打撃部材が第２位置にあるとき閉塞部材によって吐出口が開放されるため、タブレット状菓子が無駄に排出される虞はない。
【００１４】
請求項５の考案によれば、菓子容器の蓋がケース体の蓋収容凹部に保持されるため、不用意に蓋が菓子容器の吐出口を塞ぐ虞がなく、安定してタブレット状菓子の吐出ができる。
【図面の簡単な説明】
【００１５】
【図１】実施形態に係るタブレット状菓子撃ち出し器を分解して示した斜視図である。
【図２】実施形態に係るタブレット状菓子撃ち出し器を示した斜視図である。
【図３】菓子容器に装着したケース体を一方向から見た場合の断面図である。
【図４】菓子容器に装着したケース体を他方向から見た場合の断面図である。
【図５】実施形態に係るタブレット状菓子撃ち出し器の使用方法を説明するための断面図である。
【考案を実施するための形態】
【００１６】
以下、本考案に係るタブレット状菓子の撃ち出し器を図面に示した実施形態に基づいて説明する。
【００１７】
タブレット状菓子（以下単に、菓子という）Ａは、例えば円板状の清涼菓子である。図１には、この菓子Ａを収容するための、薄い矩形状の菓子容器１が示されている。この菓子容器１には、長辺の１つに切欠き２が形成され、その切欠き２の底面に吐出口３が形成されている。この菓子容器１の吐出口３は蓋４によって閉塞されている。この蓋４は、薄肉で形成されたヒンジ５によって開閉自在に取り付けられ、蓋４を開放することによって、菓子容器１内の菓子Ａを取り出すことができる。
【００１８】
実施形態のタブレット状菓子撃ち出し器（以下単に、撃ち出し器という）１０は、菓子容器１の上半部の大半を覆うためのケース体１１を備え、このケース体１１には撃ち出し手段２０が設けられている。
この撃ち出し手段２０はケース体１１内に設置されている。この撃ち出し手段２０は、打撃部材２１と、この打撃部材２１に付設された操作部２２と、上記打撃部材２１に付設された閉塞部材２３と、上記打撃部材２１に打撃のための付勢力を付与するばね２４とを有している。
このうち打撃部材２１は、ケース体１１が装着された菓子容器１の長辺の延在方向の第１位置と第２位置との間で往復動作可能に設けられている。ここで、第２位置とは、上記ばね２４の付勢力が蓄えられる位置であり、第１位置とは、ばね２４の付勢力が開放される位置である。この打撃部材２１は、上記菓子容器１の吐出口３から１つずつ吐出された菓子Ａを打撃するためのものである。この打撃部材２１には、スリット１１ｃを介して外方に突出する操作部２２が付設されている。この操作部２２は人為的に操作されるものである。
また、閉塞部材２３は、断面Ｃ字形となっており、蓋４が開かれて露出した吐出口３を閉塞するために設けられている。この閉塞部材２３も操作部２２と一体的に動作する。この閉塞部材２３は、第１位置にあるとき、蓋４が開かれて露出した吐出口３を閉塞し、第２位置にあるとき、蓋４が開かれて露出した吐出口３を開放する。
ばね２４は、打撃部材２１とケース体１１の固定部との間に設けられている。そのため、ケース体１１には、ばね２４の収容空間２６が形成されている。
【００１９】
次に、ケース体１１の詳細を説明する。
このケース体１１は合成樹脂等で扁平状に形成されている。このケース体１１は、図１に示すように、第１のケース片１１ａおよび第２のケース片１１ｂによって外郭が構成されている。この第１のケース片１１ａと第２のケース片１１ｂとは凹凸嵌合又はねじ等によって互いに組み付けられ、ケース体１１を構成している。
【００２０】
このケース体１１は、図２に示すように、下辺に差し込み口１２を有している。このケース体１１には、差し込み口１２の奥に、菓子容器１の上半部の大半を収容する空間が形成されている。そして、差し込み口１２に菓子容器１を頭部側から挿入することで、ケース体１１は菓子容器１に着脱可能に装着される。
また、このケース体１１は、上辺側の１つの角部に切欠き１３を有している。この切欠き１３は、装着された撃ち出し器１０の菓子容器１からの取り外しを容易にするためのものである。すなわち、菓子容器１において、撃ち出し器１０の切欠き１３から露出する短辺と、当該短辺に対向する他の短辺とを一方の手で摘みながら、他方の手で撃ち出し器１０を菓子容器１からずらすようにすれば、装着された撃ち出し器１０の菓子容器１からの取り外しが容易に行えることになる。この切欠き１３の形成位置は、この切欠き１３を利用して、撃ち出し器１０の菓子容器１からの取り外しが容易に行えるなら、どこであってもよい。
さらに、ケース体１１には、上記菓子容器１の吐出口３から吐出された菓子Ａを打撃部材２１による打撃までの間保留する菓子保留空間１４が形成されている。この菓子保留空間１４は射出口１５に連通している。
【００２１】
また、このケース体１１には、第１のケース片１１ａにスリット１７が形成されている。このスリット１７は、上記閉塞部材２３の動作をガイドするためのものである。
一方、第２のケース片１１ｂには下辺に至るスリット１８が形成されている。このスリット１８は、開いた状態の蓋４の動作をガイドするためのものである。また、この第２のケース片１１ｂの上端部には、スリット１８の延長線上に、蓋収容凹部１９が形成されている。この蓋収容凹部１９の外面は、図４に示すように、外側に膨出している。この蓋収容凹部１９は、蓋４を開いたままの状態で保持するためのものである。
【００２２】
次に、このように構成された撃ち出し器１０の使用方法を説明する。
撃ち出し器１０は、図１の円内に示すように菓子容器１の蓋４を開いた状態で、差し込み口１２に菓子容器１を挿入することで、菓子容器１に装着される。
この撃ち出し器１０を装着する際、蓋４は、開かれたままの状態でスリット１８によって動作案内され、ケース体１１の蓋収容凹部１９内に収容される。
また、この撃ち出し器１０を装着した状態では、露出した吐出口３は閉塞部材２３によって閉塞される。その結果、菓子容器１内の菓子Ａが外部へ排出されることはない。
【００２３】
次に、操作部２２を第１位置から第２位置まで操作すると、図５に示すように、閉塞部材２３も共に動作し、露出した吐出口３が開放される。この状態で、露出した吐出口３を下方に向けて菓子容器１を振ると、露出した吐出口３から菓子Ａが菓子保留空間１４に吐出される。
次に、菓子容器１の頭部が上となるように、ケース体１１および菓子容器１の向きを変えると、菓子保留空間１４に保留された菓子Ａが打撃部材２１に当接する。
【００２４】
この状態で、操作部２２から手を離すと、打撃部材２１がばね２４の付勢力によって第２位置から第１位置まで瞬時に動作し、菓子Ａが射出口１５から発射される。その後、閉塞部材２３は第１位置に復帰し、菓子容器１の吐出口３を閉塞する。
【００２５】
ケース体１１を菓子容器１から取り外す場合には、菓子容器１において、撃ち出し器１０の切欠き１３から露出する短辺と、当該短辺に対向する他の短辺とを一方の手で摘みながら、他方の手で撃ち出し器１０を菓子容器１からずらせばよい。
【００２６】
このように構成された撃ち出し器１０によれば次のような効果が得られる。
【００２７】
すなわち、撃ち出し器１０は菓子容器１と別体となっており、菓子容器１に着脱可能となっているので、菓子容器１毎に撃ち出し器１０が必要とされないことから、経済的である。
また、菓子容器１の吐出口３から吐出された菓子Ａを撃ち出すように構成されているため、菓子容器１から撃ち出し器１０に菓子Ａを詰め替える必要がないので、衛生的であり、菓子Ａを移す等の煩雑な作業を必要としない。
さらに、菓子容器１をケース体１１の差し込み口１２に挿入するだけで、ケース体１１を菓子容器１に装着させることができるので、装着が容易である。
【００２８】
また、打撃部材２１が第１位置にあるときに閉塞部材２３によって菓子容器１の吐出口３が閉じられ、打撃部材２１が第２位置にあるとき閉塞部材２３によって吐出口３が開放されるため、菓子Ａが無駄に排出される虞はない。
【００２９】
さらに、菓子容器１の蓋４がケース体１１の蓋収容凹部１９に保持されるため、不用意に蓋が菓子容器１の吐出口３を塞ぐ虞がなく、安定して菓子Ａの吐出ができる。
また、ケース体１１を菓子容器１から取り出す際に、切欠き１３から露出している菓子容器１の部分を利用して取り外すことができるので、取り外しが容易である。
【００３０】
以上、本考案の実施形態について説明したが、本考案は、かかる実施形態に限定されるものではなく、その要旨を逸脱しない範囲で種々変形が可能であることは言うまでもない。
例えば、上記実施形態では、ケース体１１は菓子容器１の一部を覆うものであるが、菓子容器１の全体を覆うものであってもよいことは勿論である。
【００３１】
また、上記実施形態では、菓子容器１の吐出口３を閉塞する蓋４は、ヒンジ５によって開閉されるものであるが、スライド式であってもよい。
【符号の説明】
【００３２】
１    菓子容器
３    吐出口
４    蓋
５    ヒンジ
１０    撃ち出し器
１１    ケース体
１２    開口
１３    切欠き
１４    菓子保留空間
１５    射出口
１９    蓋収容凹部
２０    撃ち出し手段
２１    打撃部材
２２    操作部
２４    ばね
【図１】
0003169240.tif 000003
【図２】
0003169240.tif 000004
【図３】
0003169240.tif 000005
【図４】
0003169240.tif 000006
【図５】
0003169240.tif 000007